(57)【要約】【課題】本発明は、カード式オルゴールとパンチカードにて、演奏時間の長く、多彩な曲を連続して演奏することができる、パンチカード式オルゴール装置を得ることにある。【解決手段】カード式オルゴール（市販品）の設置する箱を設ける、その中程に基板を設け、基板には、収納円筒を設け収納円筒にはスロットを設ける、また巻き取り円筒を設け、巻き取り円筒にはスロットを設ける、パンチカードは、ロール状に巻いて収納円筒の内側に収納する、スロットよりパンチカードを引き出し、カード式オルゴール（市販品）で演奏し終えたパンチカードは、巻き取り円筒外側に巻き取る、巻き取り円筒は、ベルトを介して、モーターの動力にて、パンチカードを巻き取る、演奏をすべて終えたパンチカードは、収納円筒の外側に固定しハンドルにて手動で巻き戻す、パンチカード式オルゴール装置。【選択図】図１
2017146573.tif 000002
【特許請求の範囲】
【請求項１】
カード式オルゴール（市販品）とパンチカード（市販品）を設置する箱を設ける、その中程に基板を設ける、基板には、収納円筒を設け、パンチカードを収納する、収納円筒にはパンチカードを引き出すスロットを設ける、そのスロットよりパンチカードを引き出しカード式オルゴールに通し曲を演奏する、演奏し終えたパンチカードは、次に設けた巻き取り円筒のスロット差し込む、パンチカードと巻き取り円筒の剪断力によりパンチカードを固定し、巻き取り円筒に巻き取る、また巻き取り円筒は、モーターの動力にて、パンチカードを巻き取る、自動的に巻き取られるので演奏曲を継続演奏できる、演奏をすべて終えたパンチカードは、その末端を、収納円筒のスロットに戻し差し込む、パンチカードと収納円筒の剪断力により固定しハンドルにて手動で巻き戻す、ことを特徴とするパンチカード式オルゴール装置。
【請求項２】
カード式オルゴール（市販品）とパンチカード（市販品）によって作り出された音楽は、マイクロホーンにて収音し、数種の計器を通して、拡声器をへて、スピーカーにて、拡大音声として音を出すことを特徴とする、請求項１記載のパンチカード式オルゴール装置。
【発明の詳細な説明】
【技術分野】
【０００１】本発明は、パンチカード式オルゴール装置に関する。
【背景技術】
【０００２】従来の物は、カード式オルゴールと、パンチカードは、それぞれ独立して、市販されている、また先行特許文献によるその内容は、オルゴール装置として、テープ式オルゴール本体とテープロールが一体化している構造で、構成されている。【０００３】  しかしながら、従来の市販されている、カード式オルゴールはパンチカードを伴って、１曲演奏するごとに、パンチカードをカード式オルゴールに装着しているという欠点があった、曲を長くするためにパンチカードを接続して長くすると、パンチカードの保管や演奏の後処理に困った、また先行特許文献によるオルゴール装置は、オルゴール本体とテープロール巻き取り装置と一体化しているため、市販のカード式オルゴールやパンチカード（テープ）が使えない、また一般のパンチカード式オルゴールだけでは、音が小さい為に演奏会等には、不向きと言う欠点があった。
【先行技術文献】
【特許文献】
【０００４】
【特許文献１】  特開平９−１０１７７５――号広報
【特許文献２】  特開平９−１０１７７６――号広報
【発明の概要】
【発明が解決しようとする課題】
【０００５】  本発明は、以上のような従来の欠点の鑑み、市販のカード式オルゴールに、市販のパンチカードを使用し、パンチカードの収納及び巻き取り、巻き戻しを備えた、パンチカード式オルゴール装置の提供する、ことを目的としている。【０００６】本発明は、以上のような従来の欠点の鑑み、市販のカード式オルゴールの音を、電気的に拡大し、演奏会等に演奏活躍できるパンチカード式オルゴール装置を提供することを目的としている。
【課題を解決するための手段】
【０００７】上記目的を達成するために、本発明は、［請求項１］と［請求項２］とで  パンチカード式オルゴール装置を構成している。
【発明の効果】
【０００８】以上の説明から明らかなように、本発明にあっては次に列挙する効果が得られる。
（１）［請求項１］とで構成されているので、市販のカード式オルゴールと、市販のパンチカードを収納、巻き取りする装置を提供することができる、したがって、連続して曲目の演奏ができる、また演奏終了後は演奏に使用した、市販のパンチカードを巻き戻しすることができる。【００１０】（２）［請求項２］と（１）によって構成されているので、従来の欠点の鑑み、市販のカード式オルゴールの音を、電気的に拡大する機器を、パンチカード式オルゴール装置の中に組み入れる、したがって、小規模の演奏会等にも使用できるパンチカード式オルゴール装置を提供することができる。【００１１】（３）その他の効果として、この楽器は音楽に興味がある人であれば、童謡、唱歌、青春歌謡、歌謡曲、クラシック音楽等、音符が読めない人でも、演奏ができる。
【図面の簡単な説明】
【００１２】
【図１】発明を実施するための最良の第１の形態の斜視図である。
【図２】本発明のパンチカード式オルゴール装置を後方から見た後正面図である。
【図３】本発明のパンチカード式オルゴール装置を前方から見た前正面図である。
【図４】本発明のパンチカード式オルゴール装置を上方から見た平面図である。
【図５】図４のパンチカード収納円筒部のＡ―Ａ’断面図である。
【図６】図４のパンチカード巻き取り円筒部のＢ―Ｂ’断面図である。
【発明を実施するための形態】
【００１３】以下、本発明の実施の形態を図１〜図６に基づいて説明する、
【実施例１】
【００１４】図１は、本発明装置の実施例１の斜視図であって、パンチカード式オルゴール装置である。
（イ）図１は、１（前板）・２＆２’（側板）・３（後板）・４（底板）・５（基板）で箱  を製作する。
（ロ）図２は、基板（５）に、支柱（６ａ）（７ａ）を設ける、支柱には、軸棒（６ｂ）（７ｂ）を設け、その軸棒に、収納円筒（６）と巻き取り円筒（７）を設ける。
（ハ）図３は、１（前板）に、音の拡大用スピーカー．（１６）を設ける。
（ニ）図４は、軸棒（６ｂ）に、収納円筒（６）を、軸棒（７ｂ）には、巻き取り円筒（７）を設ける、収納円筒（６）にはスロット（６ｈ）と、巻き取り円筒（７）にはスロット（７ｈ）を設ける、収納円筒（６）と巻き取り円筒（７）は、軸棒（６ｂ）、軸棒（７ｂ）を中心に回転する、また、巻き取り円筒（７）と、モーター（８）がベルト（９）にて回転し、パンチカード（市販品１６）を巻き取る、モーターの巻き取り回転速度は、モーターコントローラー（３ｄ）にて適切に調整される。
また、基板（４）の上に、パンチカード式オルゴール（１２）の位置合わせ（１０）とパンチカード式オルゴールの補助台（１１）と巻き戻しハンドル（１６）を設け、パンチカード式オルゴール（１２）の遮音版（１５）を設ける。
（ホ）図５は、図４のＡ―Ａ’  断面図であり、軸棒（６ｂ）には、（６ｆ）（６ｇ）のリングが取り付けられ、収納円筒（６）の位置合わせに使用する、また収納円筒ストッパー（６ｅ）は、巻き戻しハンドル（１６）を挿入し使用する。
（ヘ）図６は図４の・Ｂ―Ｂ’断面図であり、軸棒（７ｂ）には、（７ｆ）（７ｇ）のリングが取り付けられ、巻き取り円筒（７）の位置合わせに使用する。
【実施例２】
【００１５】図２＆３図は本発明の実施例２の前正面図と後正面図であり、本発明の電子装置である。
（ト）カード式オルゴール（１２）とパンチカード（１３）によって作り出された音楽は、マイクロホーン（１４）にて収音し、数種の計器を通して拡声器（３ｃ）により、スピーカー（１６）にて、拡大音楽を出す、これらを操作するには、電源（３ｂ）と主スイッチ（３ａ）で行われる。
【産業上の利用可能性】
【００１６】・本発明は、パンチカード式オルゴール装置を製造する産業で利用される。
・本発明は、誰でも操作出来る楽器であるために、老人ホームやケヤハウス等で演奏され、痴呆症等の改善に期待される。
【符号の説明】
【００１７】１．前板
２．２  側板
３．後板
３ａ  主スイッチ
３ｂ  メガネプラグ（ＡＣ１００Ｖ）
３ｃ  アンプ
３ｄ  モーターコントローラー
４．底板
５．基板
６．収納円筒
６ａ  主柱
６ｂ  軸棒
６ｃ  収納円筒前蓋
６ｄ  収納円筒後蓋
６ｅ  収納円筒後蓋ストパー
６ｆ  前位置合わせリング
６ｇ  後位置合わせリング
６ｈ  引き出しスロット
７．巻き取り円筒
７ａ  主柱
７ｂ  軸棒
７ｃ  巻き取り円筒前蓋
７ｄ  巻き取り円筒後蓋
７ｅ  巻き取りプーリー
７ｆ  前位置合わせリング
７ｇ  後位置合わせリング
７ｈ  巻き取りスロット
８．モーター
９．ベルト
１０．オルゴール装置調整具
１１．オルゴール装置支持台
１２．カード式オルゴール
１３．パンチカード
１４．マイクロホーン
１５．遮音マット
１６．巻き戻しハンドル
１７．スピーカー
【図１】
2017146573.tif 000003
【図２】
2017146573.tif 000004
【図３】
2017146573.tif 000005
【図４】
2017146573.tif 000006
【図５】
2017146573.tif 000007
【図６】
2017146573.tif 000008